(57)【要約】【課題】入力ペンのペン先の移動速度等の検出データに基づいて画像を変化させる描画方法等を提供する。【解決手段】画像編集手段１０によって制御されるペン先動作検出手段６０と画像変化手段７０を設け、ペン先動作検出手段６０は、利用者が入力ペンをペンダウンさせて画像を画像表示手段２０に表示させる際に当該入力ペンのペン先を移動させながらペンアップさせたとき、所定の時間間隔をおいて座標入力手段２０によって測定された複数箇所の座標に基づいてペン先の移動速度と移動方向を検出し、画像変化手段７０は、ペン先の移動速度と移動方向に基づいて画像を変化させる描画データを生成する。【選択図】  図１
2004213221.tif 000002
【特許請求の範囲】
【請求項１】
入力ペンを備えた座標入力手段によって取得された座標位置に、画像編集手段による描画処理を実行させて利用者が選択した画像を画像表示手段により表示する描画方法であって、前記利用者が前記入力ペンをペンダウンさせて前記画像を前記画像表示手段に表示させる際に当該入力ペンのペン先を移動させながらペンアップさせると、所定の時間間隔をおいて前記座標入力手段によって測定された複数箇所の座標に基づいて前記ペン先の移動速度と移動方向を含むペン先動作を検出し、前記ペン先動作の検出データに基づいて前記画像を変化させることを特徴とする画像変化機能を備えた描画方法。
【請求項２】
請求項１に記載の画像変化機能を備えた描画方法において、前記利用者が前記入力ペンをペンダウンさせて前記画像を前記画像表示手段に表示させる際の前記ペン先の筆圧を検出し、前記ペン先の移動速度に基づく前記画像の変化に前記筆圧を加味して当該画像の変化強度を高めたことを特徴とする画像変化機能を備えた描画方法。
【請求項３】
請求項１又は請求項２に記載の画像変化機能を備えた描画方法において、前記利用者が前記画像を前記画像表示手段に表示させるために前記入力ペンをペンダウンさせたときに座標１を取得し、前記入力ペンをペンアップさせたときに所定の時間間隔をおいて前記座標入力手段によって測定された座標２を取得し、前記座標１と前記座標２に基づいて前記ペン先動作を検出することを特徴とする画像変化機能を備えた描画方法。
【請求項４】
請求項１又は請求項２に記載の画像変化機能を備えた描画方法において、前記利用者が前記画像を前記画像表示手段に表示させるために前記入力ペンをペンダウンさせてからペンアップさせるまでの間に当該ペンアップ直前の状態を基準にして所定の時間間隔をおいて前記座標入力手段によって測定された座標１と座標２を取得し、前記座標１と前記座標２に基づいて前記ペン先動作を検出することを特徴とする画像変化機能を備えた描画方法。
【請求項５】
請求項１又は請求項２に記載の画像変化機能を備えた描画方法において、前記利用者が前記画像を前記画像表示手段に表示させるために前記入力ペンをペンダウンさせてからペンアップさせたときに所定の時間間隔をおいて前記座標入力手段によって測定された座標１と座標２を当該ペンアップ直後に取得し、前記座標１と前記座標２に基づいて前記ペン先動作を検出することを特徴とする画像変化機能を備えた描画方法。
【請求項６】
所定の撮影領域における利用者を撮影し、前記利用者の撮影画像を画像表示手段に表示し、前記撮影画像に対する描画用画像を入力ペンを備えた座標入力手段で描画し、前記撮影画像を含む合成画像を写真として印刷する自動写真撮影用描画方法において、前記描画用画像を入力ペンを備えた座標入力手段で描画するステップは、請求項１乃至請求項５のいずれかに記載の画像変化機能を備えた描画方法からなるステップを採用したことを特徴とする自動写真撮影用描画方法。
【請求項７】
請求項６に記載の自動写真撮影用描画方法によって写真として印刷されたことを特徴とする印刷媒体。
【請求項８】
入力ペンを備えた座標入力手段と、座標位置に画像を表示する画像表示手段と、画像編集についての各種処理を実行する制御装置からなる画像編集手段と、描画された画像を印刷する印刷手段とから構成され、前記座標入力手段によって取得された座標位置に、前記画像編集手段による描画処理を実行させて利用者が選択した画像を前記画像表示手段により表示する描画装置において、前記画像編集手段によって制御されるペン先動作検出手段と画像変化手段を設け、前記ペン先動作検出手段は、前記利用者が前記入力ペンをペンダウンさせて前記画像を前記画像表示手段に表示させる際に当該入力ペンのペン先を移動させながらペンアップさせたとき、所定の時間間隔をおいて前記座標入力手段によって測定された複数箇所の座標に基づいて前記ペン先の移動速度と移動方向を含むペン先動作を検出し、前記画像変化手段は、前記ペン先動作の検出データに基づいて前記画像を変化させる描画データを生成することを特徴とする画像変化機能を備えた描画装置。
【請求項９】
請求項８に記載の前記ペン先動作検出手段は、前記利用者が前記入力ペンをペンダウンさせて前記画像を前記画像表示手段に表示させる際に前記ペン先の筆圧を検出することを特徴とする画像変化機能を備えた描画装置。
【請求項１０】
請求項８又は９に記載の前記ペン先動作検出手段は、前記利用者が前記画像を前記画像表示手段に表示させるために前記入力ペンをペンダウンさせたときに座標１を取得し、前記入力ペンをペンアップさせたときに所定の時間間隔をおいて前記座標入力手段によって測定された座標２を取得し、前記座標１と前記座標２に基づいて前記ペン先動作を検出することを特徴とする画像変化機能を備えた描画装置。
【請求項１１】
請求項８又は９に記載の前記ペン先動作検出手段は、前記利用者が前記画像を前記画像表示手段に表示させるために前記入力ペンをペンダウンさせてからペンアップさせるまでの間に当該ペンアップ直前の状態を基準にして所定の時間間隔をおいて前記座標入力手段によって測定された座標１と座標２を取得し、前記座標１と前記座標２に基づいて前記ペン先動作を検出することを特徴とする画像変化機能を備えた描画装置。
【請求項１２】
請求項８又は９に記載の前記ペン先動作検出手段は、前記利用者が前記画像を前記画像表示手段に表示させるために前記入力ペンをペンダウンさせてからペンアップさせたときに所定の時間間隔をおいて前記座標入力手段によって測定された座標１と座標２を当該ペンアップ直後に取得し、前記座標１と前記座標２に基づいて前記ペン先動作を検出することを特徴とする画像変化機能を備えた描画装置。
【請求項１３】
請求項８に記載の前記画像変化手段は、前記ペン先の移動速度に基づき前記画像の伸びる倍率を決定し、かつ、前記ペン先の移動方向に基づいて前記画像の伸びる方向及び回転角を決定し、前記画像を変化させる描画データを生成することを特徴とする画像変化機能を備えた描画装置。
【請求項１４】
請求項８に記載の前記画像変化手段は、前記ペン先の移動速度に基づき前記画像の重ねる枚数及び移動量を決定し、かつ、前記ペン先の移動方向に基づいて前記画像の重ねる方向を決定し、前記画像を変化させる描画データを生成することを特徴とする画像変化機能を備えた描画装置。
【請求項１５】
請求項８に記載の前記画像変化手段は、前記ペン先の移動速度に基づき前記画像の移動量を計算し、前記移動量を基準として所定の範囲内でランダムに前記画像の移動量及び変化量を決定し、前記画像を変化させる描画データを生成することを特徴とする画像変化機能を備えた描画装置。
【請求項１６】
請求項８に記載の前記画像変化手段は、前記ペン先の移動速度に基づき前記画像の移動量を計算し、前記移動量を基準として所定の範囲内でランダムに座標を決定し、前記画像の周辺に装飾画像を描画する描画データを生成することを特徴とする画像変化機能を備えた描画装置。
【請求項１７】
請求項８に記載の前記画像変化手段は、前記ペン先の移動速度に基づき前記画像の移動量を計算し、前記移動量を基準として前記画像を移動させる描画データを生成する、又は前記移動量を基準として所定の範囲内でランダムに前記画像の移動量を決定し、前記画像を移動させる描画データを生成することを特徴とする画像変化機能を備えた描画装置。
【請求項１８】
請求項８に記載の前記画像変化手段は、前記ペン先の移動速度に基づき前記画像の大きさを決定し、前記画像に変化を与える描画データを生成することを特徴とする画像変化機能を備えた描画装置。
【請求項１９】
請求項８に記載の前記画像変化手段は、請求項１３乃至請求項１８のいずれかに記載の前記ペン先の移動速度に基づく前記画像の変化に請求項９に記載の前記筆圧を加味して当該画像の変化強度を高めたことを特徴とする画像変化機能を備えた描画装置。
【請求項２０】
所定の撮影領域における利用者を撮影する撮影装置と、前記利用者の撮影画像に対する描画用画像を入力ペンを備えた座標入力手段で描画する描画装置と、前記撮影画像を含む合成画像を写真として印刷する印刷装置からなる自動写真撮影装置において、前記描画装置は、請求項８乃至請求項１９のいずれかに記載の画像変化機能を備えた描画装置を採用したことを特徴とする自動写真撮影装置。
【発明の詳細な説明】
【０００１】
【発明の属する技術分野】
本発明は、入力ペンのペン先の移動速度等の検出データに基づいて画像を変化させる画像変化機能を備えた描画方法及び描画装置、それらの描画方法及び描画装置を利用した自動写真撮影用描画方法及び自動写真撮影装置に関する。
【０００２】
【従来の技術】
従来より、制御装置により画像編集処理を実行させることにより、タッチペン又はライトペン等の入力ペンを備えた座標入力手段によって取得された座標位置に、利用者が選択した画像を液晶パネル又はＣＲＴ（Ｃａｔｈｏｄｅ  Ｒａｙ  Ｔｕｂｅ）ディスプレイ等の画像表示手段により表示させる描画方法又は描画装置が知られている。
【０００３】
このような描画方法又は描画装置を用いて、利用者をカメラで撮影しその撮影画像に、利用者の操作に基づき娯楽性を高めるためにタッチペン又はライトペン等の入力ペンを用いてスタンプ画像等の落書きを行って画像を合成し、それを写真として印刷する自動写真撮影用描画方法又は自動写真撮影装置が存在する。
【０００４】
上記自動写真撮影用描画方法又は自動写真撮影装置において、入力ペンを用いてスタンプ画像の落書きを行う手順は、利用者が編集モードにおいてスタンプモードを選択した後、入力ペンの操作によりハート型や星型等の複数のスタンプ画像の中から所望のスタンプ画像を選択し、任意の座標位置に所望のスタンプ画像の入力を行うようにしている。
【０００５】
このようにスタンプ画像の入力を行う場合、スタンプ画像のサイズや形状等は、スタンプ画像を選択するときに、予め設定されたサイズ（大・中・小）や形状等を併せて選択するのが一般的である。
【０００６】
一方、従来より、制御装置により画像編集処理を実行させることにより画像を変化させる描画方法又は描画装置としては、画像の周りにハンドルを表示させ、それを入力ペン又はマウスでドラッグして画像を拡大、縮小、回転等させて、画像のサイズや形状等を変化させる描画方法又は描画装置が知られている。
【０００７】
【発明が解決しようとする課題】
しかし、上述した従来の画像のサイズや形状等を変化させる描画方法又は描画装置では、画像の周りにハンドルを表示させて、それを入力ペン又はマウス等でドラッグしなければならないことから、利用者にとっては必ずしも簡単であるとはいえないばかりでなく、手の無駄な動きを完全に無くすことは困難であるため描画に時間がかかってしまうという問題がある。
【０００８】
したがって、上述した従来の上記自動写真撮影用描画方法又は自動写真撮影装置において、従来の画像を変化させる描画方法又は描画装置を採用した場合、撮影した撮影画像にスタンプ画像等の落書きを行う際、画像編集時間が制限されており時間不足になりがちであるという状況になるため、描画にかかる時間をできる限り短縮することが、利用者にとって大きな利点となる。
【０００９】
そこで、本発明は、このような問題を解決するためになされたものであり、利用者にとって極めて簡単で、かつ、手の動きを最小限におさえることができ、しかも描画にかかる時間をできる限り短縮することができる画像変化機能を備えた描画方法とその装置を提供すること、更にはそれらの描画方法及び描画装置を利用した自動写真撮影用描画方法及び自動写真撮影装置を提供することを目的とする。
【００１０】
【課題を解決するための手段】
上記課題を解決するために、請求項１に記載の発明は、入力ペンを備えた座標入力手段によって取得された座標位置に、画像編集手段による描画処理を実行させて利用者が選択した画像を画像表示手段により表示する描画方法であって、前記利用者が前記入力ペンをペンダウンさせて前記画像を前記画像表示手段に表示させる際に当該入力ペンのペン先を移動させながらペンアップさせると、所定の時間間隔をおいて前記座標入力手段によって測定された複数箇所の座標に基づいて前記ペン先の移動速度と移動方向を含むペン先動作を検出し、前記ペン先動作の検出データに基づいて前記画像を変化させることを特徴とする。
【００１１】
これにより、利用者は手首をスナップさせるようにして入力ペンのペン先を画面から離すという動作をすることにより、画像を変化させることができるため、利用者にとっては極めて簡単で、かつ、手の動きを最小限におさえることができ、しかも描画にかかる時間を短縮することができる。
【００１２】
請求項２に記載の発明は、請求項１に記載の発明において、前記利用者が前記入力ペンをペンダウンさせて前記画像を前記画像表示手段に表示させる際の前記ペン先の筆圧を検出し、前記ペン先の移動速度に基づく前記画像の変化に前記筆圧を加味して当該画像の変化強度を高めたことを特徴とする。
【００１３】
これにより、筆圧パラメータを画像の変化の強度に割り当てることができるため、ペン先の速度パラメータに基づく画像の変化強度を高めることができる。
【００１４】
請求項３に記載の発明は、請求項１又は請求項２に記載の発明において、前記利用者が前記画像を前記画像表示手段に表示させるために前記入力ペンをペンダウンさせたときに座標１を取得し、前記入力ペンをペンアップさせたときに所定の時間間隔をおいて前記座標入力手段によって測定された座標２を取得し、前記座標１と前記座標２に基づいて前記ペン先動作を検出することを特徴とする。
【００１５】
請求項４に記載の発明は、請求項１又は請求項２に記載の発明において、前記利用者が前記画像を前記画像表示手段に表示させるために前記入力ペンをペンダウンさせてからペンアップさせるまでの間に当該ペンアップ直前の状態を基準にして所定の時間間隔をおいて前記座標入力手段によって測定された座標１と座標２を取得し、前記座標１と前記座標２に基づいて前記ペン先動作を検出することを特徴とする。
【００１６】
請求項５に記載の発明は、請求項１又は請求項２に記載の発明において、前記利用者が前記画像を前記画像表示手段に表示させるために前記入力ペンをペンダウンさせてからペンアップさせたときに所定の時間間隔をおいて前記座標入力手段によって測定された座標１と座標２を当該ペンアップ直後に取得し、前記座標１と前記座標２に基づいて前記ペン先動作を検出することを特徴とする。
【００１７】
以上の請求項３乃至請求項５に記載の発明により、利用者が手首をスナップさせるようにして入力ペンのペン先を画面から離すという動作を、タッチペンをペンダウンからペンアップさせる一連の動作に関連付けることができるため、所定の時間間隔をおいて複数箇所の座標を測定することができる。
【００１８】
請求項６に記載の発明は、所定の撮影領域における利用者を撮影し、前記利用者の撮影画像を画像表示手段に表示し、前記撮影画像に対する描画用画像を入力ペンを備えた座標入力手段で描画し、前記撮影画像を含む合成画像を写真として印刷する自動写真撮影用描画方法において、前記描画用画像を入力ペンを備えた座標入力手段で描画するステップは、請求項１乃至請求項５のいずれかに記載の発明の画像変化機能を備えた描画方法からなるステップを採用したものである。
【００１９】
これにより、自動写真撮影用描画方法において、撮影画像にスタンプ画像等の落書きを行う際、利用者は手首をスナップさせるようにして入力ペンのペン先を画面から離すという動作をすることにより、画像を変化させることができるため、描画にかかる時間をできる限り短縮することができる。
【００２０】
請求項７に記載の発明は、請求項６に記載の発明の自動写真撮影用描画方法によって写真として印刷されたことを特徴とする印刷媒体の構成からなる。
【００２１】
請求項８に記載の発明は、入力ペンを備えた座標入力手段と、座標位置に画像を表示する画像表示手段と、画像編集についての各種処理を実行する制御装置からなる画像編集手段と、描画された画像を印刷する印刷手段とから構成され、前記座標入力手段によって取得された座標位置に、前記画像編集手段による描画処理を実行させて利用者が選択した画像を前記画像表示手段により表示する描画装置において、前記画像編集手段によって制御されるペン先動作検出手段と画像変化手段を設け、前記ペン先動作検出手段は、前記利用者が前記入力ペンをペンダウンさせて前記画像を前記画像表示手段に表示させる際に当該入力ペンのペン先を移動させながらペンアップさせたとき、所定の時間間隔をおいて前記座標入力手段によって測定された複数箇所の座標に基づいて前記ペン先の移動速度と移動方向を含むペン先動作を検出し、前記画像変化手段は、前記ペン先動作の検出データに基づいて前記画像を変化させる描画データを生成することを特徴とする。
【００２２】
これにより、利用者は手首をスナップさせるようにして入力ペンのペン先を画面から離すという動作をすることにより、画像を変化させることができるため、従来の描画装置において、画像の周りにハンドルを表示させて、それを入力ペン又はマウス等でドラッグしなければならない場合と比較すると、利用者にとっては極めて簡単で、かつ、手の動きを最小限におさえることができ、しかも描画にかかる時間を短縮することができる。
【００２３】
請求項９に記載の発明は、請求項８に記載の発明において、前記ペン先動作検出手段は、前記利用者が前記入力ペンをペンダウンさせて前記画像を前記画像表示手段に表示させる際に前記ペン先の筆圧を検出することを特徴とする。
【００２４】
これにより、筆圧パラメータを画像の変化の強度に割り当てることができるため、ペン先の速度パラメータに基づく画像の変化強度を高めることができる。
【００２５】
請求項１０に記載の発明は、請求項８又は請求項９に記載の発明において、前記ペン先動作検出手段は、前記利用者が前記画像を前記画像表示手段に表示させるために前記入力ペンをペンダウンさせたときに座標１を取得し、前記入力ペンをペンアップさせたときに所定の時間間隔をおいて前記座標入力手段によって測定された座標２を取得し、前記座標１と前記座標２に基づいて前記ペン先動作を検出することを特徴とする。
【００２６】
請求項１１に記載の発明は、請求項８又は請求項９に記載の発明において、前記ペン先動作検出手段は、前記利用者が前記画像を前記画像表示手段に表示させるために前記入力ペンをペンダウンさせてからペンアップさせるまでの間に当該ペンアップ直前の状態を基準にして所定の時間間隔をおいて前記座標入力手段によって測定された座標１と座標２を取得し、前記座標１と前記座標２に基づいて前記ペン先動作を検出することを特徴とする。
【００２７】
請求項１２に記載の発明は、請求項８又は請求項９に記載の発明において、前記ペン先動作検出手段は、前記利用者が前記画像を前記画像表示手段に表示させるために前記入力ペンをペンダウンさせてからペンアップさせたときに所定の時間間隔をおいて前記座標入力手段によって測定された座標１と座標２を当該ペンアップ直後に取得し、前記座標１と前記座標２に基づいて前記ペン先動作を検出することを特徴とする。
【００２８】
以上の請求項１０乃至請求項１２に記載の発明により、利用者が手首をスナップさせるようにして入力ペンのペン先を画面から離すという動作を、入力ペンをペンダウンからペンアップさせる一連の動作に関連付けることができるため、所定の時間間隔をおいて座標１と座標２の２箇所の座標を測定することができる。
【００２９】
請求項１３に記載の発明は、請求項８に記載の発明において、前記画像変化手段は、前記ペン先の移動速度に基づき前記画像の伸びる倍率を決定し、かつ、前記ペン先の移動方向に基づいて前記画像の伸びる方向及び回転角を決定し、前記画像を変化させる描画データを生成することを特徴とする。
【００３０】
請求項１４に記載の発明は、請求項８に記載の発明において、前記画像変化手段は、前記ペン先の移動速度に基づき前記画像の重ねる枚数及び移動量を決定し、かつ、前記ペン先の移動方向に基づいて前記画像の重ねる方向を決定し、前記画像を変化させる描画データを生成することを特徴とする。
【００３１】
請求項１５に記載の発明は、請求項８に記載の発明において、前記画像変化手段は、前記ペン先の移動速度に基づき前記画像の移動量を計算し、前記移動量を基準として所定の範囲内でランダムに前記画像の移動量及び変化量を決定し、前記画像を変化させる描画データを生成することを特徴とする。
【００３２】
請求項１６に記載の発明は、請求項８に記載の発明において、前記画像変化手段は、前記ペン先の移動速度に基づき前記画像の移動量を計算し、前記移動量を基準として所定の範囲内でランダムに座標を決定し、前記画像の周辺に装飾画像を描画する描画データを生成することを特徴とする。
【００３３】
請求項１７に記載の発明は、請求項８に記載の発明において、前記画像変化手段は、前記ペン先の移動速度に基づき前記画像の移動量を計算し、前記移動量を基準として前記画像を移動させる描画データを生成する、又は前記移動量を基準として所定の範囲内でランダムに前記画像の移動量を決定し、前記画像を移動させる描画データを生成することを特徴とする。
【００３４】
請求項１８に記載の発明は、請求項８に記載の発明において、前記画像変化手段は、前記ペン先の移動速度に基づき前記画像の大きさを決定し、前記画像に変化を与える描画データを生成することを特徴とする。
【００３５】
請求項１９に記載の発明は、請求項８に記載の発明において、前記画像変化手段は、請求項１３乃至請求項１８のいずれかに記載の発明の前記ペン先の移動速度に基づく前記画像の変化に請求項９に記載の前記筆圧を加味して当該画像の変化強度を高めたことを特徴とする。
【００３６】
以上の請求項１３乃至請求項１９に記載の発明により、ペン先動作に基づいて画像を変化させることができるため、画像変化の自由度を高めることができる。
【００３７】
請求項２０に記載の発明は、所定の撮影領域における利用者を撮影する撮影装置と、前記利用者の撮影画像に対する描画用画像を入力ペンを備えた座標入力手段で描画する描画装置と、前記撮影画像を含む合成画像を写真として印刷する印刷装置からなる自動写真撮影装置において、前記描画装置は、請求項８乃至請求項１９のいずれかに記載の発明の画像変化機能を備えた描画装置を採用したものである。
【００３８】
これにより、自動写真撮影装置において、撮影画像にスタンプ画像等の落書きを行う際、利用者は手首をスナップさせるようにして入力ペンのペン先を画面から離すという動作をすることにより、画像を変化させることができるため、描画にかかる時間をできる限り短縮することができる。また、ペン先動作に基づいて画像を変化させることができるため、画像変化の自由度を高めることができる。
【００３９】
【発明の実施の形態】
以下、本発明の実施の一形態について、図面１及び図２を参酌しながら説明する。
【００４０】
図１は、本発明の構成を示すブロック図である。また、図２は、本発明にかかる描画装置の一実施例を示すブロック図である。
【００４１】
図１において、１０は画像編集手段、２０は座標入力手段、３０は画像表示手段、４０は記憶手段、５０は印刷手段、６０はペン先動作検出手段、７０は画像変化手段である。
【００４２】
画像編集手段１０は、画像編集についての各種処理を実行する制御装置１１
によって実現される。制御装置１１は、図２に示すＣＰＵ等の演算処理装置１２、画像編集プログラムや描画処理に必要なデータを格納するＲＯＭ、ＲＡＭ等のメモリ１３、外部装置との接続を行うインターフェイス回路１４から構成されている。画像編集手段１０は、制御装置１１で制御して画像表示手段３０に編集画面を表示し、座標入力手段２０による編集モードの選択または切り替えを可能とし、座標入力手段２０によって取得された座標位置に利用者が選択した画像を画像表示手段３０により表示する。また、画像編集手段１０は、その他の編集操作の処理を実行する。また、ペン先動作検出手段６０と画像変化手段７０は、後述するように、制御装置１１によって実現される。
【００４３】
座標入力手段２０は、図２に示す透明デジタイザ２１によって実現される。透明デジタイザ２１は、制御装置１１に接続されるタブレットとタッチペン２２（図６乃至図８参照）から構成されている。座標入力手段２０は、利用者によってタッチペン２２が操作された場合、座標入力情報、ペンダウン（タッチペンをタブレットに接触させる）及びペンアップ（タッチペンをタブレットから離す）情報を制御装置１１に送信する。なお、座標入力手段２０の構成は、上述した透明デジタイザ２１（タブレットとタッチペン２２）に限定されるものではなく、例えば、ライトペンを用いたペン入力装置を採用することができる。
【００４４】
画像表示手段３０は、図２に示す液晶パネル３１によって実現される。液晶パネル３１は、制御装置１１に接続される。なお、画像表示手段３０は、液晶パネル３１に限定されるものではなく、例えば、ＣＲＴディスプレイを採用することができる。
【００４５】
記憶手段４０は、ハードディスク、ＣＤ−ＲＯＭ等からなる外部記憶装置（図示省略）によって実現される。後述するスタンプ画像等は、メモリ１３の格納部（図示省略）に格納されたものを用いることができるが、制御装置１１に接続される前記外部記憶装置により各種記憶媒体に記憶された画像データを読み取ったものを用いることもできる。なお、記憶手段４０は、本発明の構成の中で必須の構成ではないため、適宜省略することが可能である。
【００４６】
印刷手段５０は、描画された画像を印刷するプリンタ５１によって実現される。プリンタ５１は、制御装置１１に接続される。
【００４７】
タッチペン２２は、そのペン先をタブレットに接触させて文字や図形等を入力できるようになっており、スタンプ画像その他の画像が液晶パネル３１に表示され、その画像がプリンタ５１で印刷される。利用者が所望の画像を入力する際には、液晶パネル３１に編集画面が表示され、タッチペン２２の操作により編集モードの選択または切り替えの情報が入力される。
【００４８】
メモリ１３には、タッチペン２２の操作によって実行される編集モードが格納されており、例えば、利用者がスタンプモードを選択した場合、液晶パネル３１に表示されている複数種類のスタンプ画像の中から利用者が所望するスタンプ画像を選択して入力できるようになっている。
【００４９】
ペン先動作検出手段６０は、図２に示す制御装置１１で制御される。ペン先動作検出手段６０は、利用者がタッチペン２２をペンダウンさせて画像を液晶パネル３１の画面に表示させる際にタッチペン２２のペン先を移動させながらペンアップさせたとき、所定の時間間隔をおいて座標入力手段２０によって測定された複数箇所の座標位置を取得する。
【００５０】
このようにペン先を移動させてタッチペン２２をペンダウンからペンアップさせた場合に複数箇所の座標位置を取得する方法については、タイミングが相違する複数のパターンが考えられる。以下、２箇所の座標位置を取得する場合の３種類のパターンと、３箇所の座標位置を取得する場合のパターンの一例について説明するが、これらのパターンに限定されるものではない。
【００５１】
先ず、２箇所の座標位置を取得する場合の３種類のパターンについて説明する。
【００５２】
第１のパターンは、タッチペン２２をペンダウンさせたときに測定された座標１と、タッチペン２２のペン先を移動させながらペンアップさせたときに所定の時間間隔をおいて測定された座標２とを取得するものである（図３参照）。
【００５３】
第２のパターンは、タッチペン２２をペンダウンさせてからペン先を移動させながらペンアップさせるまでの間に当該ペンアップ直前の状態を基準にして所定の時間間隔をおいて測定された座標１と座標２とを取得するものである（図４参照）。
【００５４】
第３のパターンは、タッチペン２２をペンダウンさせてからペン先を移動させながらペンアップさせたとき、所定の時間間隔をおいて測定された座標１と座標２とを当該ペンアップ直後に取得するものである（図５参照）。
【００５５】
次に、３箇所の座標位置を取得する場合のパターンの一例について説明する。
【００５６】
このパターンは、タッチペン２２をペンダウンさせてからペン先を移動させながらペンアップさせるまでの間に当該ペンアップ直前の状態を基準にして所定の時間間隔をおいて測定された座標１と座標２とを取得し、タッチペン２２のペン先を移動させながらペンアップさせたときに所定の時間間隔をおいて測定された座標３とを取得するものである（図６参照）。
【００５７】
また、ペン先動作検出手段６０は、いずれかのパターンにより測定された複数箇所の座標に基づいてペン先の移動速度と移動方向を含むペン先動作を検出する。これらの検出データは、例えば、座標１と座標２の２箇所の座標を１ミリ秒間隔で測定し速度と角度を検出した場合、下記の数式１により算出される。
【００５８】
【数１】
2004213221.tif 000003
【００５９】
また、上述した３箇所の座標に基づいてペン先の移動速度を検出する場合、各座標間で算出された速度をそれぞれ平均した平均速度を得ることができる。さらに、座標１と座標２、座標２と座標３で算出された速度の変化により加速度を得ることができる。また、３箇所の座標に基づいてペン先の移動方向を検出する場合、３点から内接する円軌道の接線方向や３点から曲線補間された曲線の接線方向を得ることができる。
【００６０】
また、ペン先動作検出手段１０は、利用者がタッチペン２２をペンダウンさせて画像を液晶パネル３１の画面に表示させる際にペン先の筆圧を検出できるようにしてもよい。
【００６１】
画像変化手段７０は、図２に示す制御装置１１で制御される。画像変化手段７０は、ペン先の移動速度に対応した画像変化パターン（画像の伸びる倍率、画像の重ねる枚数及び移動量、画像の大きさ）と、ペン先の移動方向に対応した画像変化パターン（画像の重ねる方向、画像の回転角）とがそれぞれ格納されている画像変化テーブルを備えており、この画像変化テーブルを参照してペン先の移動速度と移動方向に基づいて画像を変化させる描画データを生成する。なお、画像変化手段７０に画像変化パターンを処理する専用プログラムを備えて、画像を変化させる描画データを生成することができる。。
【００６２】
また、画像変化手段７０は、ペン先の移動速度に基づき画像の移動量を計算し、この移動量を基準として画像を変化させる描画データを生成する。具体的には、以下の画像変化パターンがある。
【００６３】
画像変化手段７０は、前記移動量を基準として所定の範囲内でランダムに画像の移動量及び変化量を決定し、画像を変化させる描画データを生成する。また、画像変化手段７０は、前記移動量を基準として所定の範囲内でランダムに座標を決定し、画像の周辺に装飾画像（付加画像）を描画する描画データを生成する。また、画像変化手段７０は、前記移動量を基準として画像を移動させる描画データを生成する。また、画像変化手段７０は、前記移動量を基準として所定の範囲内でランダムに前記画像の移動量を決定し、前記画像を移動させる描画データを生成する。
【００６４】
以上のように構成された画像変化機能を備えた描画装置の動作の一例について、図３乃至図５に示すフローチャートを参酌しながら説明する。
【００６５】
図３は、上記第１のパターンに対応させたものであり、タッチペンを離す直前の座標とタッチペンを離した直後の座標に基づいてペン先動作（移動速度と移動方向）を検出し、該検出データに基づいて画像を変化させる処理手順を示す。
【００６６】
先ず、利用者の操作によって透明デジタイザ２１から画像編集開始の入力信号を受信した制御装置１１は、透明デジタイザ２１の初期化とメモリ１３等の初期化を実行する（Ｓ１００）。そして、制御装置１１は、液晶パネル３１に編集画面を表示させる（Ｓ１０１）。
【００６７】
次に、利用者がタッチペン２２を操作し、編集画面において編集モード（スナップ対応スタンプモード、その他のモード）の選択または切り替えが行われる（Ｓ１０２）。このとき、利用者がその他のモードを決定した場合、制御装置１１はその他の編集操作を実行する（Ｓ１２０）。
【００６８】
利用者が、スナップ対応のスタンプモードを決定した場合、本発明にかかる画像変化処理を実行する処理フローに入り、制御装置１１は一定の描画間隔を空ける（Ｓ１０３）。
【００６９】
制御装置１１で制御されるペン先動作検出手段６０は、タッチペン２２のペンの状態を監視し（Ｓ１０４）、利用者が所望するスタンプ画像をタッチペン２２のペン先でタップして液晶パネル３１の画面に表示させるためにタッチペン２２をペンダウンさせたとき、座標１の入力情報が制御装置１１に送信される。すなわち、タッチペン２２をペンダウンさせたとき、座標１が取得される（Ｓ１０５）。このとき、タッチペン２２のペン先の筆圧を検出するようにしておくことができる。
【００７０】
制御装置１１は、液晶パネル３１に前回の表示があれば画面から消去し（Ｓ１０６）、所定の座標位置にスタンプ画像を表示させる（Ｓ１０７）。
【００７１】
利用者が、タッチペン２２のペン先を移動させながらペンアップさせた場合、ペンの状態を監視している制御装置１１は、一回前の状態がペンダウンであるとき（Ｓ１０８）、所定の時間間隔をおいて測定された座標２の入力情報を取得する（Ｓ１０９）。一方、利用者が、タッチペン２２をペンダウンさせない場合（ペンアップの状態を維持）、ペンの状態を監視している制御装置１１は、一回前の状態がペンアップであるとき（Ｓ１０８）、一定の描画間隔を空けて（Ｓ１０３）、ペンの状態を監視する（Ｓ１０４）。このため、ペンアップの状態が続くと最初の処理ルーチンに戻ることになる。
【００７２】
制御装置１１は、一回前の状態がペンダウンであるとき（Ｓ１０８）、上述したように取得した座標１と座標２に基づいてペン先の移動速度及び移動方向を検出する（Ｓ１１０）。そして、制御装置１１は、これらの検出データに基づいてスタンプ画像を変化させる（Ｓ１１１）。なお、スタンプ画像を変化させる方法については、後述する（図７乃至図１１参照）。
【００７３】
図４は、上記第２のパターンに対応させたものであり、タッチペンを離す直前の２つの座標に基づいてペン先動作（移動速度と移動方向）を検出し、該検出データに基づいて画像を変化させる処理手順を示すフローチャートである。
【００７４】
先ず、利用者の操作によって透明デジタイザ２１から画像編集開始の入力信号を受信した制御装置１１は、透明デジタイザ２１の初期化とメモリ１３等の初期化を実行する（Ｓ２００）。そして、制御装置１１は、液晶パネル３１に編集画面を表示させる（Ｓ２０１）。
【００７５】
次に、利用者がタッチペン２２を操作し、編集画面において編集モード（スナップ対応スタンプモード、その他のモード）の選択または切り替えが行われる（Ｓ２０２）。このとき、利用者がその他のモードを決定した場合、制御装置１１はその他の編集操作を実行する（Ｓ２２０）。
【００７６】
利用者が、スナップ対応のスタンプモードを決定した場合、本発明にかかる画像変化処理を実行する処理フローに入り、制御装置１１は、一定の描画間隔を空ける（Ｓ２０３）。
【００７７】
制御装置１１で制御されるペン先動作検出手段６０は、タッチペン２２のペンの状態を監視し（Ｓ２０４）、利用者が所望するスタンプ画像をタッチペン２２のペン先でタップして液晶パネル３１の画面に表示させるためにタッチペン２２をペンダウンさせたとき、座標の入力情報が制御装置１１に送信される。このとき、座標の入力情報が送信されると、座標２の座標位置データを座標１の座標位置データにコピーする（Ｓ２０５）。すなわち、座標１には、所定の時間間隔をおいて測定される座標の入力情報について１つ前の座標位置データが入力される。このとき、タッチペン２２のペン先の筆圧を検出するようにしておくことができる。
【００７８】
利用者が、ペンダウンさせた座標位置からタッチペン２２のペン先を移動させながらペンアップさせると、このペンアップ直前の状態を基準にして座標の入力情報が制御装置１１に送信される。この座標の入力情報が、座標２として取得される（Ｓ２０６）。このとき、座標１には、所定の時間間隔をおいて測定された１つ前の座標位置データが入力されているため、この座標位置データが座標１として取得される。
【００７９】
制御装置１１は、液晶パネル３１に前回の表示があれば画面から消去し（Ｓ２０７）、所定の座標位置にスタンプ画像を表示させる（Ｓ２０８）。
【００８０】
利用者が、タッチペン２２のペン先を移動させながらペンアップさせた場合、ペンの状態を監視している制御装置１１は、一回前の状態がペンダウンであるとき（Ｓ２０９）、ペンアップ直前の状態を基準にして取得された座標１と座標２に基づいてペン先の移動速度及び移動方向を検出する（Ｓ２１０）。そして、制御装置１１は、これらの検出データに基づいてスタンプ画像を変化させる（Ｓ２１１）。なお、スタンプ画像を変化させる方法については、後述する（図７乃至図１１参照）。
【００８１】
一方、利用者が、タッチペン２２をペンダウンさせない場合（ペンアップの状態を維持）、ペンの状態を監視している制御装置１１は、一回前の状態がペンアップであるとき（Ｓ２０９）、一定の描画間隔を空けて（Ｓ２０３）、ペンの状態を監視する（Ｓ２０４）。このため、ペンアップの状態が続くと最初の処理ルーチンに戻ることになる。
【００８２】
図５は、上記第３のパターンに対応させたものであり、タッチペンを離した直後の２つの座標に基づいてペン先動作（移動速度と移動方向）を検出し、該検出データに基づいて画像を変化させる処理手順を示すフローチャートである。
【００８３】
先ず、利用者の操作によって透明デジタイザ２１から画像編集開始の入力信号を受信した制御装置１１は、透明デジタイザ２１の初期化とメモリ１３等の初期化を実行する（Ｓ３００）。そして、制御装置１１は、液晶パネル３１に編集画面を表示させる（Ｓ３０１）。
【００８４】
次に、利用者がタッチペン２２を操作し、編集画面において編集モード（スナップ対応スタンプモード、その他のモード）の選択または切り替えが行われる（Ｓ３０２）。このとき、利用者がその他のモードを決定した場合、制御装置１１はその他の編集操作を実行する（Ｓ３２０）。
【００８５】
利用者が、スナップ対応のスタンプモードを決定した場合、本発明にかかる画像変化処理を実行する処理フローに入り、制御装置１１は、一定の描画間隔を空ける（Ｓ３０３）。
【００８６】
制御装置１１で制御されるペン先動作検出手段６０は、タッチペン２２のペンの状態を監視し（Ｓ３０４）、利用者が所望するスタンプ画像をタッチペン２２のペン先でタップして液晶パネル３１の画面に表示させるためにタッチペン２２をペンダウンさせたとき、この座標の入力情報が制御装置１１に送信される（Ｓ３０５）。このとき、タッチペン２２のペン先の筆圧を検出するようにしておくことができる。
【００８７】
制御装置１１は、液晶パネル３１に前回の表示があれば画面から消去し（Ｓ３０６）、所定の座標位置にスタンプ画像を表示させる（Ｓ３０７）。
【００８８】
利用者が、タッチペン２２のペン先を移動させながらペンアップさせた場合、ペンの状態を監視している制御装置１１は、一回前の状態がペンダウンであるとき（Ｓ３０８）、所定の時間間隔をおいて測定された座標１の入力情報と座標２の入力情報とをペンアップ直後に取得する（Ｓ３０９、Ｓ３１０、Ｓ３１１）。次いで、座標１と座標２に基づいてペン先の移動速度及び移動方向を検出する（Ｓ３１２）。そして、制御装置１１は、これらの検出データに基づいてスタンプ画像を変化させる（Ｓ３１３）。なお、スタンプ画像を変化させる方法については、後述する（図７乃至図１１参照）。
【００８９】
一方、利用者が、タッチペン２２をペンダウンさせない場合（ペンアップの状態を維持）、ペンの状態を監視している制御装置１１は、一回前の状態がペンアップであるとき（Ｓ３０８）、一定の描画間隔を空けて（Ｓ３０３）、ペンの状態を監視する（Ｓ３０４）。このため、ペンアップの状態が続くと最初の処理ルーチンに戻ることになる。
【００９０】
図６は、タッチペンを離す直前の２つの座標とタッチペンを離した直後の１つの座標の合計３つの座標に基づいてペン先動作（移動速度と移動方向）を検出し、該検出データに基づいて画像を変化させる処理手順を示すフローチャートである。
【００９１】
先ず、利用者の操作によって透明デジタイザ２１から画像編集開始の入力信号を受信した制御装置１１は、透明デジタイザ２１の初期化とメモリ１３等の初期化を実行する（Ｓ４００）。そして、制御装置１１は、液晶パネル３１に編集画面を表示させる（Ｓ４０１）。
【００９２】
次に、利用者がタッチペン２２を操作し、編集画面において編集モード（スナップ対応スタンプモード、その他のモード）の選択または切り替えが行われる（Ｓ４０２）。このとき、利用者がその他のモードを決定した場合、制御装置１１はその他の編集操作を実行する（Ｓ４２０）。
【００９３】
利用者が、スナップ対応のスタンプモードを決定した場合、本発明にかかる画像変化処理を実行する処理フローに入り、制御装置１１は、一定の描画間隔を空ける（Ｓ４０３）。
【００９４】
制御装置１１で制御されるペン先動作検出手段６０は、タッチペン２２のペンの状態を監視し（Ｓ４０４）、利用者が所望するスタンプ画像をタッチペン２２のペン先でタップして液晶パネル３１の画面に表示させるためにタッチペン２２をペンダウンさせたとき、座標の入力情報が制御装置１１に送信される。このとき、座標の入力情報が送信されると、座標２の座標位置データを座標１の座標位置データにコピーする（Ｓ４０５）。すなわち、座標１には、所定の時間間隔をおいて測定される座標の入力情報について１つ前の座標位置データが入力される。このとき、タッチペン２２のペン先の筆圧を検出するようにしておくことができる。
【００９５】
利用者が、ペンダウンさせた座標位置からタッチペン２２のペン先を移動させながらペンアップさせると、このペンアップ直前の状態を基準にして座標の入力情報が制御装置１１に送信される。この座標の入力情報が、座標２として取得される（Ｓ４０６）。このとき、座標１には、所定の時間間隔をおいて測定された１つ前の座標位置データが入力されているため、この座標位置データが座標１として取得される。
【００９６】
制御装置１１は、液晶パネル３１に前回の表示があれば画面から消去し（Ｓ４０７）、所定の座標位置にスタンプ画像を表示させる（Ｓ４０８）。
【００９７】
利用者が、タッチペン２２のペン先を移動させながらペンアップさせた場合、ペンの状態を監視している制御装置１１は、一回前の状態がペンダウンであるとき（Ｓ４０９）、所定の時間間隔をおいて測定された座標３の入力情報を取得する（Ｓ４１０）。次いで、ペンアップ直前の状態を基準にして取得された座標１及び座標２とペンアップ直後に取得された座標３の合計３つの座標に基づいてペン先の移動速度及び移動方向を検出する（Ｓ４１１）。そして、制御装置１１は、これらの検出データに基づいてスタンプ画像を変化させる（Ｓ４１２）。なお、スタンプ画像を変化させる方法については、後述する（図７乃至図１１参照）。
【００９８】
一方、利用者が、タッチペン２２をペンダウンさせない場合（ペンアップの状態を維持）、ペンの状態を監視している制御装置１１は、一回前の状態がペンアップであるとき（Ｓ４０９）、一定の描画間隔を空けて（Ｓ４０３）、ペンの状態を監視する（Ｓ４０４）。このため、ペンアップの状態が続くと最初の処理ルーチンに戻ることになる。
【００９９】
次に、スタンプ画像を変化させる方法について、図７乃至図１１を参酌しながら説明する。
【０１００】
上述したように制御装置１１で制御される画像変化手段７０は、ペン先の移動速度に対応した画像変化パターン（画像の伸びる倍率、画像の重ねる枚数及び移動量、画像の大きさ）と、ペン先の移動方向に対応した画像変化パターン（画像の伸びる方向、画像の回転角）とがそれぞれ格納されている画像変化テーブルを参照して、ペン先動作検出手段６０によって検出されたペン先の移動速度と移動方向に基づいてスタンプ画像を変化させる描画データを生成する。これにより、制御装置１１は画像表示手段３０に変化画像の表示を指示する。
【０１０１】
図７は、ペン先の移動速度により画像の伸びる倍率を決定し、かつ、ペン先の移動方向により画像の伸びる方向と回転角を決定してスタンプ画像を変化させた例を示す図である。
【０１０２】
利用者が、図７に示すハート型のスタンプ画像１００を液晶パネル３１の画面に表示させるためにタッチペン２２をペンダウンさせ、その座標位置からタッチペン２２のペン先を斜め下方向に移動させながら（手首をスナップさせるようにして）ペンアップさせたとき、複数箇所の座標から検出されたペン先の移動速度及び移動方向に基づいて、画像の伸びる倍率と画像の伸びる方向及び回転角が決定される。これにより、画像変化手段７０は、ハート型のスタンプ画像１００を変化させる描画データを生成し、制御装置１１の指示により液晶パネル３１の画面にハート型のスタンプ画像の変化画像１１０が表示される。このとき、ペン先動作検出手段１０がタッチペン２２のペン先の筆圧を検出できる場合、筆圧パラメータをスタンプ画像の変化の強度に割り当てることにより、ペン先の速度パラメータに基づく画像の変化強度を高めることができる。
【０１０３】
図８は、ペン先の移動速度により画像の重ねる枚数及び移動量を決定し、かつ、ペン先の移動方向により画像の重ねる方向を決定してスタンプ画像を変化させた例を示す図である。
【０１０４】
利用者が、図８に示すハート型のスタンプ画像１００を液晶パネル３１の画面に表示させるためにタッチペン２２をペンダウンさせ、その座標位置からタッチペン２２のペン先を斜め下方向に移動させながら（手首をスナップさせるようにして）ペンアップさせたとき、複数箇所の座標から検出されたペン先の移動速度及び移動方向に基づいて、画像の重ねる枚数及び移動量と画像の重ねる方向が決定される。これにより、画像要素変形手段７０は、ハート型のスタンプ画像１００を変化させる描画データを生成し、制御装置１１の指示により液晶パネル３１の画面にハート型のスタンプ画像の変化画像１２０が表示される。このとき、ペン先動作検出手段１０がタッチペン２２のペン先の筆圧を検出できる場合、筆圧パラメータをスタンプ画像の変化の強度に割り当てることにより、ペン先の速度パラメータに基づく画像の変化強度を高めることができる。
【０１０５】
図９は、ペン先の移動速度により画像の大きさを決定してスタンプ画像を変化させた例を示す図である。
【０１０６】
利用者が、図９に示すハート型のスタンプ画像１００を液晶パネル３１の画面に表示させるためにタッチペン２２をペンダウンさせ、その座標位置からタッチペン２２のペン先を斜め下方向に移動させながら（手首をスナップさせるようにして）ペンアップさせたとき、複数箇所の座標から検出されたペン先の移動速度に基づいて、画像の大きさが決定される。これにより、画像変化手段７０は、ハート型のスタンプ画像１００を変化させる描画データを生成し、制御装置１１の指示により液晶パネル３１の画面にハート型のスタンプ画像の変化画像１３０が表示される。このとき、ペン先動作検出手段１０がタッチペン２２のペン先の筆圧を検出できる場合、筆圧パラメータをスタンプ画像の変化の強度に割り当てることにより、ペン先の速度パラメータに基づく画像の変化強度を高めることができる。
【０１０７】
図１０は、ペン先の移動速度に基づき画像の移動量を計算し、この移動量を基準として所定の範囲内でランダムに座標を決定し、スタンプ画像の周辺に装飾画像（付加画像）を描画してスタンプ画像を変化させた例を示す図である。
【０１０８】
利用者が、図１０に示すハート型のスタンプ画像１００を液晶パネル３１の画面に表示させるためにタッチペン２２をペンダウンさせ、その座標位置からタッチペン２２のペン先を斜め下方向に移動させながら（手首をスナップさせるようにして）ペンアップさせたとき、複数箇所の座標から検出されたペン先の移動速度に基づいて画像の移動量を計算し、この移動量を基準として所定の範囲内でランダムに座標が決定される。これにより、画像変化手段７０は、ハート型のスタンプ画像１００の周辺に装飾画像（付加画像）を描画する描画データを生成し、制御装置１１の指示により液晶パネル３１の画面にハート型のスタンプ画像の周辺に装飾画像１４０が表示される。このとき、ペン先動作検出手段１０がタッチペン２２のペン先の筆圧を検出できる場合、筆圧パラメータをスタンプ画像の変化の強度に割り当てることにより、ペン先の速度パラメータに基づく画像の変化強度を高めることができる。
【０１０９】
図１１は、ペン先の移動速度に基づき画像の移動量を計算し、この移動量を基準として所定の範囲内でランダムに画像の移動量を決定し、画像を移動させることによりスタンプ画像を変化させた例を示す図である。
【０１１０】
利用者が、図１１に示すハート型のスタンプ画像１００を液晶パネル３１の画面に表示させるためにタッチペン２２をペンダウンさせ、その座標位置からタッチペン２２のペン先を斜め下方向に移動させながら（手首をスナップさせるようにして）ペンアップさせたとき、複数箇所の座標から検出されたペン先の移動速度に基づいて画像の移動量を計算し、この移動量を基準として所定の範囲内でランダムに画像の移動量が決定される。これにより、画像変化手段７０は、ハート型のスタンプ画像１００を移動させる描画データを生成し、制御装置１１の指示により液晶パネル３１の画面にハート型のスタンプ画像を移動させた移動画像１５０が表示される。このとき、ペン先動作検出手段１０がタッチペン２２のペン先の筆圧を検出できる場合、筆圧パラメータをスタンプ画像の変化の強度に割り当てることにより、ペン先の速度パラメータに基づく画像の変化強度を高めることができる。
【０１１１】
【発明の効果】
以上のように、本発明により、利用者は手首をスナップさせるようにしてタッチペンのペン先を画面から離すという動作をすることにより、画像を変化させることができるため、利用者にとっては極めて簡単で、かつ、手の動きを最小限におさえることができ、しかも描画にかかる時間を短縮することができる。
【０１１２】
また、本発明により、複数箇所の座標から検出されたペン先動作に基づいて画像を変化させることができるため、画像変化の自由度を高めることができる。
【０１１３】
また、本発明により、自動写真撮影用描画方法及び自動写真撮影装置において、撮影画像にスタンプ画像等の落書きを行う際、利用者は手首をスナップさせるようにして入力ペンのペン先を画面から離すという動作をすることにより、画像を変化させることができるため、描画にかかる時間をできる限り短縮することができるばかりでなく、娯楽性を高めることができる。
【図面の簡単な説明】
【図１】本発明にかかる基本構成を示すブロック図である。
【図２】本発明にかかる描画装置の一実施例を示すブロック図である。
【図３】タッチペンを離す直前の座標とタッチペンを離した直後の座標に基づいてペン先動作を検出し、該検出データに基づいて画像を変化させる処理手順を示すフローチャートである。
【図４】タッチペンを離す直前の２つの座標に基づいてペン先動作を検出し、該検出データに基づいて画像を変化させる処理手順を示すフローチャートである。
【図５】タッチペンを離した直後の２つの座標に基づいてペン先動作を検出し、該検出データに基づいて画像を変化させる処理手順を示すフローチャートである。
【図６】タッチペンを離す直前の２つの座標とタッチペンを離した直後の１つの座標の合計３つの座標に基づいてペン先動作を検出し、該検出データに基づいて画像を変化させる処理手順を示すフローチャートである。
【図７】スタンプ画像を変化させた例を示す図である。
【図８】スタンプ画像を変化させた例を示す図である。
【図９】スタンプ画像に変化させた例を示す図である。
【図１０】スタンプ画像に装飾画像を付加させた例を示す図である。
【図１１】スタンプ画像を移動させた例を示す図である。
【符号の説明】
１０  画像編集手段
１１  制御装置
１２  演算処理装置
１３  メモリ
１４  インターフェイス回路
２０  座標入力手段
２１  透明デジタイザ
２２  タッチペン
３０  画像表示手段
３１  液晶パネル
４０  記憶手段
５０  印刷手段
５１  プリンタ
６０  ペン先動作検出手段
７０  画像変化手段
１００  スタンプ画像
１１０  変化画像
１２０  変化画像
１３０  変化画像
１４０  装飾画像
１５０  移動画像
【図１】
2004213221.tif 000004
【図２】
2004213221.tif 000005
【図３】
2004213221.tif 000006
【図４】
2004213221.tif 000007
【図５】
2004213221.tif 000008
【図６】
2004213221.tif 000009
【図７】
2004213221.tif 000010
【図８】
2004213221.tif 000011
【図９】
2004213221.tif 000012
【図１０】
2004213221.tif 000013
【図１１】
2004213221.tif 000014